(57)【要約】【課題】自動販売機の制御装置に関し、複数の圧縮機が一つの庫外熱交換器を共用している冷却システムにおいて、自動販売機の庫内構成や設置環境に適した省エネ制御時間を設定して省エネ制御を行って、自動販売機の庫内構成や設置環境に適した省エネを図ることを目的とする。【解決手段】機種識別部１０１と、冷温設定庫内識別部１０２と、省エネ制御実行部１０３と、省エネ制御時間設定部１００と、省エネ制御時間記憶部１０４とを備えた主制御部２００は、省エネ制御時間設定部１００が設定した自動販売機２１の庫内構成や設置環境に適した省エネ制御時間で省エネ制御を行うことにより、自動販売機２１の庫内構成や設置環境に適した省エネ制御時間を設定して省エネ制御を行うので、自動販売機２１の庫内構成や設置環境に適した省エネを図ることができる。【選択図】図３
2012014478.tif 000002
【特許請求の範囲】
【請求項１】
圧縮機と、庫内熱交換器と、庫外熱交換器と、前記庫内熱交換器に送風するための庫内ファンと、前記庫外熱交換器に送風するための庫外ファンとを備えた冷凍装置を複数備えた自動販売機において、前記自動販売機の庫内構成を識別するための機種識別部と、前記庫内の冷温設定を識別するための冷温設定庫内識別部と、前記圧縮機、前記庫内ファン、前記庫外ファンの少なくともいずれか一つを強制停止、遅延動作する省エネ制御を行うための省エネ制御実行部と、省エネ制御時間を設定するための省エネ制御時間設定部と、省エネ制御時間を記憶するための省エネ制御時間記憶部とを備えたことを特徴とする自動販売機の制御装置。
【請求項２】
前記省エネ制御時間設定部は、手動で前記省エネ制御時間を設定するための手動省エネ制御時間設定部とすることを特徴とする請求項１に記載の自動販売機の制御装置。
【請求項３】
前記手動省エネ制御時間設定部は、固定の前記省エネ制御時間を設定するための固定の省エネ制御時間設定部とすることを特徴とする請求項２に記載の自動販売機の制御装置。
【請求項４】
前記手動省エネ制御時間設定部は、任意の前記省エネ制御時間を設定するための任意の省エネ制御時間設定部とすることを特徴とする請求項２に記載の自動販売機の制御装置。
【請求項５】
前記省エネ制御時間設定部は、自動で前記省エネ制御時間を設定するための自動省エネ制御時間設定部とすることを特徴とする請求項１に記載の自動販売機の制御装置。
【請求項６】
前記自動省エネ制御時間設定部は、外気温度毎に前記省エネ制御時間を設定するための外気温度毎による省エネ制御時間設定部とすることを特徴とする請求項５に記載の自動販売機の制御装置。
【請求項７】
前記自動省エネ制御時間設定部は、時間帯毎に前記省エネ制御時間を設定するための時間帯毎による省エネ制御時間設定部とすることを特徴とする請求項５に記載の自動販売機の制御装置。
【請求項８】
前記自動省エネ制御時間設定部は、商品の販売数毎に前記省エネ制御時間を設定するための販売本数毎による省エネ制御時間設定部とすることを特徴とする請求項５に記載の自動販売機の制御装置。
【発明の詳細な説明】
【技術分野】
【０００１】
本発明は、自動販売機の冷却システムの制御装置に関するものである。
【背景技術】
【０００２】
近年、自動販売機は、圧縮機やヒータやファンモータを所定の時間停止して省エネを図る制御仕様となってきている。（例えば、特許文献１参照）。
【０００３】
以下、図面を参照しながら、上記従来の自動販売機について説明する。
【０００４】
図６は、このような自動販売機の概略構成を示す縦断面図である。自動販売機本体１内には断熱材２を介して前面（図の左側の面）が開口した商品収納室３が構成され、その内部に商品収納棚４が配置されている。商品収納棚４は前後に４列の曲がりくねった商品収納通路５を有しているが、この商品収納通路５は左右（紙面に直角の方向）にも複数列、例えば４列形成されている。商品収納室３の前面は断熱壁からなる内扉６で開閉自在に密閉され、その外側に自動販売機本体１を開閉自在に閉塞する本体扉７がある。
【０００５】
商品収納室３の底部には冷却器（蒸発器）８、ヒータ９及びファン１０が前後に配置され、自動販売機本体１の底部には冷却器８に冷媒を供給する冷凍機の圧縮機１１や凝縮器１２が収容されている。商品収納棚４の各商品収納通路５には、円筒状の缶容器にコーヒーやジュースが入った缶飲料商品１３が種類ごとに分けて横倒し姿勢で多数積み重ねられている。商品収納通路５の下端部は直線通路となっており、最下部の商品１３はここに斜めに張り出すフラッパ１４に受け止められて落下を阻止されている。商品販売時にはいずれかの商品収納通路５の商品１３がフラッパ１４による落下阻止を外されシュータ１５上に搬出される。この商品１３はシュータ１５に沿って転動し、内扉６の下部に設けられた搬出扉１６を押し開けて商品取出口１７に達する。
【０００６】
冷却器８やヒータ９は循環空気の吐出口に設置された温度センサ１８からの温度検知信号と図示しない制御装置の記憶部に予め設定された基準温度との差に基づいてオンオフ制御され、これによって商品は所望の温度範囲に保たれる。
【０００７】
上記構成において、冷却器８やヒータ９を特定の時間帯に強制停止させて省エネを図る場合に、強制停止時間帯を１日のうちに複数回設定し、強制停止を小刻みに実施するようにする。これによりトータルの停止時間を長くなる。
【０００８】
具体的には、図７に示すように、１日のうちに特定の時間帯を複数回設定し、これらの時間帯には冷却器８又はヒータ９を強制的に停止させることで省エネを図るものである。
【先行技術文献】
【特許文献】
【０００９】
【特許文献１】特許第３４４４４４１号公報
【発明の概要】
【発明が解決しようとする課題】
【００１０】
しかしながら、上記従来の自動販売機では、各商品収容室の容積が異なる場合においても全て同じ制御を実施しているため、自動販売機の収容室構成や設置環境に適した制御を行えばさらに省エネを図ることができるという課題を有していた。
【００１１】
本発明は上記従来の課題を解決するものであり、複数の冷凍装置を備えた自動販売機において、自動販売機の構成や設置環境に適した省エネ制御を行って、さらに省エネを図る自動販売機の制御装置を提供することを目的とする。
【課題を解決するための手段】
【００１２】
上記従来の課題を解決するために、本発明の自動販売機の制御装置は、圧縮機と、庫内熱交換器と、庫外熱交換器と、前記庫内熱交換器に送風するための庫内ファンと、前記庫外熱交換器に送風するための庫外ファンとを備えた冷凍装置を複数備えた自動販売機において、前記自動販売機の庫内構成を識別するための機種識別部と、前記庫内の冷温設定を識別するための冷温設定庫内識別部と、前記圧縮機、前記庫内ファン、前記庫外ファンの少なくともいずれか一つを強制停止、遅延動作する省エネ制御を行うための省エネ制御実行部と、省エネ制御時間を設定するための省エネ制御時間設定部と、省エネ制御時間を記憶するための省エネ制御時間記憶部とを備えたものである。
【００１３】
これによって、自動販売機の庫内構成や設置環境に適した省エネ制御時間を設定して運転制御を行うことができる。
【発明の効果】
【００１４】
本発明の自動販売機の制御装置は、冷凍装置を複数備えた自動販売機において、庫内構成や設置環境に適した省エネ制御時間を設定して運転制御を行うことで、さらなる省エネを図ることができる。
【図面の簡単な説明】
【００１５】
【図１】本発明の実施の形態１における自動販売機内部の概要構成図
【図２】本発明の実施の形態１における自動販売機の冷却システムの概要構成図
【図３】本発明の実施の形態１における自動販売機の制御装置の構成図
【図４】本発明の実施の形態１における省エネ制御のタイミングを記憶するための記憶部の構成図
【図５】本発明の実施の形態２における外気温度毎の省エネ制御時間の対応表の構成図
【図６】従来の自動販売機の概略構成を示す縦断面図
【図７】従来の自動販売機の省エネ制御の概要図
【発明を実施するための形態】
【００１６】
請求項１に記載の発明は、圧縮機と、庫内熱交換器と、庫外熱交換器と、前記庫内熱交換器に送風するための庫内ファンと、前記庫外熱交換器に送風するための庫外ファンとを備えた冷凍装置を複数備えた自動販売機において、前記自動販売機の庫内構成を識別するための機種識別部と、前記庫内の冷温設定を識別するための冷温設定庫内識別部と、前記圧縮機、前記庫内ファン、前記庫外ファンの少なくともいずれか一つを強制停止、遅延動作する省エネ制御を行うための省エネ制御実行部と、省エネ制御時間を設定するための省エネ制御時間設定部と、省エネ制御時間を記憶するための省エネ制御時間記憶部とを備えたものであり、自動販売機の庫内構成や設置環境に適した省エネ制御時間を設定して運転制御を行うことができ、さらなる省エネを図ることができる。
【００１７】
請求項２に記載の発明は、請求項１に記載の発明において、前記省エネ制御時間設定部は、手動で前記省エネ制御時間を設定するための手動省エネ制御時間設定部とするものであり、使用者の意図を反映して庫内構成や設置環境に適した省エネ制御時間を設定でき、さらなる省エネを図ることができる。
【００１８】
請求項３に記載の発明は、請求項２に記載の発明において、前記手動省エネ制御時間設定部は、固定の前記省エネ制御時間を設定するための固定の省エネ制御時間設定部とするものであり、自動販売機の設計者が設定した自動販売機の庫内構成に適した省エネ制御時間で省エネ制御を行うことができ、自動販売機の設計者の意図に従った自動販売機の庫内構成に適した省エネを図ることができる。
【００１９】
請求項４に記載の発明は、請求項２に記載の発明において、前記手動省エネ制御時間設定部は、任意の前記省エネ制御時間を設定するための任意の省エネ制御時間設定部とするものであり、自動販売機の設計者または自動販売機の管理者の意図に従った自動販売機の庫内構成に適した省エネを図ることができる。
【００２０】
請求項５に記載の発明は、請求項１に記載の発明において、前記省エネ制御時間設定部は、自動で前記省エネ制御時間を設定するための自動省エネ制御時間設定部とするものであり、設定の手間を必要とせず、記自動販売機の庫内構成や設置環境に適した省エネ制御を行うことができる。
【００２１】
請求項６に記載の発明は、請求項５に記載の発明において、前記自動省エネ制御時間設定部は、外気温度毎に前記省エネ制御時間を設定するための外気温度毎による省エネ制御時間設定部とするものであり、外気温度毎に省エネ制御時間を設定するので、外気温度が変動してもそれに従った省エネ制御を行うことができる。
【００２２】
請求項７に記載の発明は、請求項５に記載の発明において、前記自動省エネ制御時間設定部は、時間帯毎に前記省エネ制御時間を設定するための時間帯毎による省エネ制御時間設定部とするものであり、省エネ制御を入れやすい時間帯に自動で省エネ制御を行うことができる。
【００２３】
請求項８に記載の発明は、請求項５に記載の発明において、前記自動省エネ制御時間設定部は、商品の販売数毎に前記省エネ制御時間を設定するための販売本数毎による省エネ制御時間設定部とするものであり、販売本数に従って省エネ制御を入れやすいタイミングに自動で省エネ制御を行うことができる。
【００２４】
以下、本発明の実施の形態について、図面を参照しながら説明する。なお、この実施の形態によってこの発明が限定されるものではない。
【００２５】
（実施の形態１）
図１は本発明の実施の形態１における自動販売機内部の概要構成図である。図２は、本発明の実施の形態１における自動販売機の冷却システムの概要構成図を示す。図３は、本発明の実施の形態１における自動販売機の制御装置の構成図である。図４は、本発明の実施の形態１における省エネ制御のタイミングを記憶するための記憶部の構成である。
【００２６】
図１において、自動販売機２１は、断熱隔壁２２により区画された庫内Ａ、庫内Ｂそして庫内Ｃを備え、それぞれに商品収納コラム２３Ａ、商品収納コラム２３Ｂそして商品収納コラム２３Ｃを有する。さらに、商品収納コラム２３Ａ、商品収納コラム２３Ｂそして商品収納コラム２３Ｃ内には、温度を測定するコラム内温度測定センサ４１Ａ、コラム内温度測定センサ４１Ｂそしてコラム内温度測定センサ４１Ｃと、外気温度を測定する外気温度測定センサ８３を有する。そして、自動販売機全体を制御するためのコントローラ２７、圧縮機等の冷却装置及び商品排出機構等が内蔵された機構部２６を備えて構成されている。
【００２７】
図２において、冷却システムの庫内Ａ側は、庫内Ａを冷却または加温するための庫内熱交換器５１Ａ、庫内ファン６１Ａ、ヒータ６２Ａ、インバータ圧縮機７１Ａ、庫外熱交換器８１、庫外ファン８２Ａ、庫外ファン８２Ｂそして庫内熱交換器５１Ａを冷却または加温に切替えるための四方弁９２を備えている。一方、冷却システムの庫内Ｂ側と庫内Ｃ側は、庫内Ｂを冷却するための庫内熱交換器５１Ｂ、庫内ファン６１Ｂ、ヒータ６２Ｂ、庫内Ｃを冷却するための庫内熱交換器５１Ｃ、庫内ファン６１Ｃ、ヒータＣを備えている。そして、一定速圧縮機７１Ｂ、庫外熱交換器８１、キャピラリチューブ９３Ｂ、キャピラリチューブ９３Ｃ、三方弁９４を備えている。三方弁９４の一方は、キャピラリチューブ９３Ｂと庫内熱交換器５１Ｂと庫内熱交換器５１Ｃにつながる冷媒流路を形成し、三方弁９４の他方は、キャピラリチューブ９３Ｃと庫内熱交換器５１Ｃにつながる冷媒流路を形成しており、それぞれ選択的に制御される。
【００２８】
図３において、制御装置の主制御部２００は、機種の庫内構成を識別するための機種識別部１０１と、各庫内の冷温設定を識別するための冷温設定庫内識別部１０２と、インバータ圧縮機７１Ａ、一定速圧縮機７１Ｂ、庫内ファン６１Ａ、庫内ファン６１Ｂ、庫内ファン６１Ｃ、ヒータ６２Ａ、ヒータ６２Ｂ、ヒータ６２Ｃ、庫外ファン８２Ａ、庫外ファン８２Ｂの少なくとも一つを強制停止したり、遅延動作したりするといった省エネ制御を行うための省エネ制御実行部１０３と、省エネ制御時間を設定するための省エネ制御時間設定部１００と、省エネ制御時間を記憶するための省エネ制御時間記憶部１０４とを備えている。
【００２９】
ここで、省エネ制御時間設定部１００は、手動で省エネ制御時間を設定するための手動省エネ制御時間設定部１１０と、自動で省エネ制御時間を設定するための自動省エネ制御時間設定部１２０となる。
【００３０】
本発明の実施の形態１における手動省エネ制御時間設定部１１０（省エネ制御時間設定部１００）は、固定の省エネ制御時間を設定するための固定の省エネ制御時間設定部１１１（例えばパソコン）となる。
【００３１】
以上のように構成された自動販売機の制御装置について、以下その動作、作用を説明する。
【００３２】
まず、図４より、省エネ制御時間の設定について説明する。省エネ制御時間（冷却と加温の強制停止時間や遅延動作）が機種毎（機種識別番号毎）に省エネ制御時間記憶部１０４に記憶されている。ここで、省エネ制御時間設定部１１１で機種毎（機種識別番号毎）に省エネ制御時間（冷却と加温の強制停止時間や遅延動作）を設定する。例えば、機種識別番号９０１の機種について、冷却強制停止時間を１０ｍｉｎ、加温強制停止時間を８ｍｉｎ、冷却遅延動作時間を５ｍｉｎ、加温遅延動作時間を６ｍｉｎと設定すると、省エネ制御時間記憶部１０４の機種識別番号９０１の箇所に記憶される。なお、機種毎に庫内負荷も異なっているため機種に適した省エネ制御時間を設定する必要があるが、機種識別番号毎に省エネ制御時間を設定することで、機種に適した省エネ制御時間時間を設定することができる。
【００３３】
次に、省エネ制御が行われるまでの一連の流れを説明する。自動販売機２１の冷温設定が、庫内Ａが冷却、庫内Ｂが加温、庫内Ｃが冷却で、冷却動作または加温動作を行っている場合、まず、機種識別部１０１が自動販売機２１の機種番号を識別する。次に冷温設定庫内識別部１０２が庫内Ａ、庫内Ｂ、庫内Ｃの冷温設定を識別する。機種識別番号が９０１で、庫内Ａの冷温設定が冷却、庫内Ｂの冷温設定が加温、庫内Ｃの冷温設定が冷却の場合、庫内Ａ、庫内Ｂ、庫内Ｃの各省エネ制御時間は以下の通りとなる。庫内Ａの省エネ制御時間について、冷却強制停止時間は１０ｍｉｎで冷却遅延動作は５ｍｉｎとなる。庫内Ｂの省エネ制御時間について、加温強制停止時間は８ｍｉｎで加温遅延動作は６ｍｉｎとなる。庫内Ｃの省エネ制御時間について、冷却強制停止時間は１０ｍｉｎで冷却遅延動作は５ｍｉｎとなる。
【００３４】
そして、主制御部２００が、上記で決めた省エネ制御時間に従い、インバータ圧縮機７１Ａ、一定速圧縮機７１Ｂ、ヒータ６２Ｂ、庫内ファン６１Ａ、庫内ファン６１Ｂ、庫内ファン６１Ｃの少なくとも一つの強制停止または遅延動作を行う。
【００３５】
よって、機種の庫内負荷に適した省エネ制御時間を設定して、それに従って省エネ制御を行うことになる。
【００３６】
以上のように、本実施の形態においては、手動省エネ制御時間設定部１１０（省エネ制御時間設定部１００）を、固定の省エネ制御時間を設定するための固定の省エネ制御時間設定部１１１（例えばパソコン）とすることにより、自動販売機２１の設計者が設定した自動販売機２１の庫内構成に適した省エネ制御時間で省エネ制御を行うので、自動販売機２１の設計者の意図に従った自動販売機２１の庫内構成に適した省エネを図ることができる。
【００３７】
なお、本発明の実施の形態１の手動省エネ制御時間設定部１１０（省エネ制御時間設定部１００）を、例えばリモコンといった入力装置によって省エネ制御時間を設定することができる任意の省エネ制御時間設定部１１２とすることで、自動販売機２１の設計者または自動販売機２１の管理者が設定した自動販売機２１の庫内構成や設置環境に適した省エネ制御時間を設定して省エネ制御を行うので、自動販売機２１の設計者または自動販売機２１の管理者の意図に従った自動販売機２１の庫内構成に適した省エネを図ることができる。
【００３８】
なお、省エネ制御は冷却または加温の強制停止や遅延動作に限定されるものではなく、省エネ制御時間の値も本実施の形態での値に限定されるものではない。
【００３９】
（実施の形態２）
図３は、本発明の実施の形態２における自動販売機の制御装置の構成図であり、図４は、本発明の実施の形態２における省エネ制御時間を記憶するための記憶部の構成であり、図５は、本発明の実施の形態２における外気温度毎の省エネ制御時間の対応表の構成図であり、本発明の第２の実施の形態に関する箇所のみ説明する。なお、実施の形態１と同一構成については、詳細な説明を省略する。
【００４０】
図３において、本発明の実施の形態２の自動省エネ制御時間設定部１２０（省エネ制御時間設定部１００）を、外気温度毎に省エネ制御時間を設定するための外気温度毎による省エネ制御時間設定部１２１としている。
【００４１】
以上のように構成された自動販売機の制御装置について、以下その動作、作用を説明する。
【００４２】
まず、自動販売機２１の冷温設定が、庫内Ａが冷却、庫内Ｂが加温、庫内Ｃが冷却で、冷却動作または加温動作を行っている場合、まず、冷温設定庫内識別部１０２が庫内Ａ、庫内Ｂ、庫内Ｃの冷温設定を識別する。そして主制御部２００が外気温度測定センサ８３の検知温度を確認する。庫内Ａの冷温設定が冷却、庫内Ｂの冷温設定が加温、庫内Ｃの冷温設定が冷却で、外気温度が１５℃の場合、図５より省エネ制御時間は１５℃以上２０℃未満の値で、庫内Ａの強制停止時間と遅延動作時間はそれぞれ６ｍｉｎと８ｍｉｎで、庫内Ｂの強制停止時間と遅延動作時間はそれぞれ９ｍｉｎと７ｍｉｎで、庫内Ｃの強制停止時間と遅延動作時間はそれぞれ６ｍｉｎと８ｍｉｎとなる。
【００４３】
次に、機種識別部１０１が自動販売機２１の機種番号を識別する。機種識別番号が９０１の場合、図４より、機種識別番号９０１の冷却強制停止時間と加温強制停止時間を６ｍｉｎと８ｍｉｎ、冷却遅延動作時間と加温遅延動作時間を９ｍｉｎと７ｍｉｎとして設定して、省エネ制御時間記憶部１０４に記憶する。
【００４４】
なお、上記の動作を、例えば１時間毎に主制御部２００が外気温度測定センサ８３の温度を確認して行う。
【００４５】
よって、外気温度に適した省エネ制御時間を設定して、それに従って省エネ制御を行うことになる。
【００４６】
以上のように、本実施の形態においては、自動省エネ制御時間設定部１２０（省エネ制御時間設定部１００）を、外気温度毎に省エネ制御時間を設定するための外気温度毎による省エネ制御時間設定部１２１とすることにより、外気温度毎に省エネ制御時間を設定するので、外気温度が変動してもそれに従った省エネ制御を行うことができる。
【００４７】
なお、本発明の実施の形態２の自動省エネ制御時間設定部１２０（省エネ制御時間設定部１００）を、例えば時間帯毎に省エネ制御時間を設定するための時間帯毎による省エネ制御時間設定部１２２とすることでも、時間帯毎に省エネ制御時間を設定するので、省エネ制御を入れやすい時間帯に自動で省エネ制御を行うことができる。
【００４８】
さらに、本発明の実施の形態２の自動省エネ制御時間設定部１２０（省エネ制御時間設定部１００）を、例えば商品の販売本数毎に省エネ制御時間を設定するための販売本数毎による省エネ制御時間設定部１２３とすることでも、商品の販売本数毎に省エネ制御時間を設定するので、販売本数に従って省エネ制御を入れやすいタイミングに自動で省エネ制御を行うことができる。
【００４９】
なお、省エネ制御は冷却または加温の強制停止や遅延動作に限定されるものではなく、省エネ制御時間の値も本実施の形態での値に限定されるものではない。
【産業上の利用可能性】
【００５０】
以上のように、本発明にかかる自動販売機は、複数の圧縮機で構成された冷却システム等の用途にも適用できる。
【符号の説明】
【００５１】
２１    自動販売機
２２    断熱隔壁
２３Ａ、２３Ｂ、２３Ｃ  商品収納コラム
２６    機構部
２７    コントローラ
４１Ａ、４１Ｂ、４１Ｃ  コラム内温度測定センサ
５１Ａ、５１Ｂ、５１Ｃ  庫内熱交換器
６１Ａ、６１Ｂ、６１Ｃ  庫内ファン
６２Ａ、６２Ｂ、６２Ｃ  ヒータ
７１Ａ  インバータ圧縮機
７１Ｂ  一定速圧縮機
８１    庫外熱交換器
８２Ａ、８２Ｂ  庫外ファン
８３    外気温度測定センサ
９２    四方弁
９３Ｂ、９３Ｃ  キャピラリチューブ
９４    三方弁
２００  主制御部
１００  省エネ制御時間設定部
１０１  機種識別部
１０２  冷温設定庫内識別部
１０３  省エネ制御実行部
１０４  省エネ制御時間記憶部
１１０  手動省エネ制御時間設定部
１１１  固定の省エネ制御時間設定部
１１２  任意の省エネ制御時間設定部
１２０  自動省エネ制御時間設定部
１２１  外気温度毎による省エネ制御時間設定部
１２２  時間帯毎による省エネ制御時間設定部
１２３  販売本数毎による省エネ制御時間設定部
【図１】
2012014478.tif 000003
【図２】
2012014478.tif 000004
【図３】
2012014478.tif 000005
【図４】
2012014478.tif 000006
【図５】
2012014478.tif 000007
【図６】
2012014478.tif 000008
【図７】
2012014478.tif 000009